(57)【要約】【課題】音楽提供に係るユーザビリティを向上させること。【解決手段】車載オーディオ装置１０は、ＣＤチェンジャ２０またはＭＤチェンジャ３０に新たなメディアが保持される度に、メディアの楽曲リストおよび該楽曲リストに係る属性情報を楽曲リスト記憶テーブル１３ａに書き込む楽曲リスト書込制御部１４ａと、楽曲リスト記憶テーブル１３ａに書き込まれた各メディアの楽曲リストに係る属性情報をもとに、各メディアの楽曲リストの中から再生対象選択条件を満たす楽曲リストを抽出して「再生楽曲リスト」を作成する再生楽曲リスト作成部１４ｂと、「再生楽曲リスト」に対して所定のトリックプレイをおこなって音楽を再生する音楽再生部１４ｃとを備える。【選択図】        図１
2006107678.tif 000002
【特許請求の範囲】
【請求項１】
メディアから音楽情報を読み出して音楽を再生する音楽再生装置であって、
当該音楽再生装置で新たなメディアが保持される度に、前記メディアの楽曲リストを楽曲リスト記憶手段に書き込む楽曲リスト書込手段と、
前記楽曲リスト記憶手段に書き込まれた各メディアの楽曲リストに対して所定のトリックプレイをおこなって音楽を再生する音楽再生手段と、
を備えたことを特徴とする音楽再生装置。
【請求項２】
当該音楽再生装置は、複数の異種メディアから音楽情報を読み出して音楽を再生するものであって、
前記楽曲リスト書込手段は、前記異種メディアの楽曲リストを前記楽曲リスト記憶手段に書き込み、
前記音楽再生手段は、前記楽曲リスト記憶手段に書き込まれた複数の異種メディアの楽曲リストに対して所定のトリックプレイをおこなって音楽を再生することを特徴とする請求項１に記載の音楽再生装置。
【請求項３】
前記楽曲リスト記憶手段に書き込まれた各メディアの楽曲リストに対して所定のトリックプレイをおこなう際に、再生対象となる楽曲の音楽情報が当該音楽再生装置の保持メディアに格納されていなければ、該再生対象となる楽曲の音楽情報が格納されたメディアを要する旨の通知をおこなうメディア要求通知手段をさらに備えたことを特徴とする請求項１または２に記載の音楽再生装置。
【請求項４】
前記音楽再生手段は、前記楽曲リスト記憶手段に書き込まれた各メディアの楽曲リストに対して所定のトリックプレイをおこなう際に、再生対象となる楽曲の音楽情報が当該音楽再生装置の保持メディアに格納されていなければ、該再生対象となる楽曲を無視して他の再生対象となる楽曲の音楽情報を再生することを特徴とする請求項１、２または３に記載の音楽再生装置。
【請求項５】
前記楽曲リストの中から再生対象となる楽曲を選択する条件として、楽曲の属性情報に関する条件を受け付ける再生対象選択条件受付手段をさらに備え、
前記楽曲リスト書込手段は、前記メディアの楽曲リストとともに、該楽曲リストに係る属性情報を書き込み、
前記音楽再生手段は、前記楽曲リスト記憶手段に書き込まれた各メディアの楽曲リストに係る属性情報をもとに、各メディアの楽曲リストの中から前記再生対象選択条件受付手段によって受け付けられた再生対象選択条件を満たす楽曲リストを抽出し、該抽出した楽曲リストに対して所定のトリックプレイをおこなって音楽を再生することを特徴とする請求項１〜４のいずれか一つに記載の音楽再生装置。
【請求項６】
前記音楽再生手段は、当該音楽再生装置が保持するメディアが交換された場合でも、前記再生対象選択条件を満たす楽曲リストを抽出する楽曲リスト抽出処理をおこなうことを特徴とする請求項５に記載の音楽再生装置。
【請求項７】
前記音楽再生手段は、当該音楽再生装置の保持メディアに格納された楽曲リストの中から前記再生対象選択条件受付手段によって受け付けられた再生対象選択条件を満たす楽曲リストを抽出し、該抽出した楽曲リストに対して所定のトリックプレイをおこなって音楽を再生することを特徴とする請求項５または６に記載の音楽再生装置。
【発明の詳細な説明】
【技術分野】
【０００１】
本発明は、メディア（例えば、ＣＤ、ＭＤ、ＣＤ−Ｒなどの記録媒体）から音楽情報を読み出して音楽を再生する音楽再生装置に関する。
【背景技術】
【０００２】
従来より、メディア（例えば、ＣＤ、ＭＤ、ＣＤ−Ｒなどの記録媒体）から音楽情報を読み出して音楽を再生する音楽再生装置が知られている。例えば、特許文献１では、異なる種類の各記録媒体に記録されている再生単位データ（再生リスト）を生成し、該再生リストに基づいて再生動作制御をおこなうことで、種類の異なる複数の記録媒体に記録された全部の再生単位データ群を対象として、再生単位データを順次再生させる再生装置が開示されている。
【０００３】
【特許文献１】特開２０００−１４９３８６号公報
【発明の開示】
【発明が解決しようとする課題】
【０００４】
この従来技術によれば、複数種類のメディアについて隔てなく、再生単位データ（トラック／ファイルなどの１つの再生単位）を対象として再生することができる。
【０００５】
しかしながら、上記の従来技術（特許文献１）は、複数のメディアに格納された楽曲について作成された再生リストを順次再生するものに過ぎず、音楽提供に係るユーザビリティが低いものであるという問題点があった。
【０００６】
すなわち、近年では、ＣＤ−ＲＯＭやフラッシュＲＯＭなどの音楽メディアにＭＰ３やＷＭＡなどの圧縮方式でデータ圧縮がおこなわれた音楽情報が格納されており、かかる音楽メディアに格納される音楽ファイルの数は、数百ファイルに登ることもあるため、ユーザが音楽メディアに格納されている音楽情報を網羅的に把握することが難しいという背景がある。また、音楽再生装置にＣＤチェンジャやＭＤチェンジャなどが配設されている場合についても、各メディア（各ＣＤまたは各ＭＤ）に格納された楽曲の所在が煩雑になるため、同様のことが言える。
【０００７】
このため、上記の従来技術のように、各メディア（すなわち、複数の同種メディアあるいは異種メディア）に記録されている楽曲を組み合わせて「再生リスト」を作成することとしたのでは、「再生リスト」の選定対象にユーザが聴きたいと考えている楽曲が含まれていない可能性がある。
【０００８】
また、上記の従来技術は、かかる「再生リスト」としてリストアップされた楽曲を再生するに際しても画一的に再生するものであり、この再生リストに対して「ＲＡＮＤＯＭ」、「ＲＥＰＥＡＴ」、「ＳＣＡＮ」などのトリックプレイをおこなうことができず、ユーザの音楽の楽しみ方を制限するものであった。
【０００９】
そこで、本発明は、上述した従来技術による課題（問題点）を解消するためになされたものであり、音楽提供に係るユーザビリティを向上させることができる音楽再生装置を提供することを目的とする。
【課題を解決するための手段】
【００１０】
上述した課題を解決し、目的を達成するために、請求項１の発明に係る音楽再生装置は、メディアから音楽情報を読み出して音楽を再生する音楽再生装置であって、当該音楽再生装置で新たなメディアが保持される度に、前記メディアの楽曲リストを楽曲リスト記憶手段に書き込む楽曲リスト書込手段と、前記楽曲リスト記憶手段に書き込まれた各メディアの楽曲リストに対して所定のトリックプレイをおこなって音楽を再生する音楽再生手段と、を備えたことを特徴とする。
【００１１】
また、請求項２の発明に係る音楽再生装置は、上記の発明において、当該音楽再生装置は、複数の異種メディアから音楽情報を読み出して音楽を再生するものであって、前記楽曲リスト書込手段は、前記異種メディアの楽曲リストを前記楽曲リスト記憶手段に書き込み、前記音楽再生手段は、前記楽曲リスト記憶手段に書き込まれた複数の異種メディアの楽曲リストに対して所定のトリックプレイをおこなって音楽を再生することを特徴とする。
【００１２】
また、請求項３の発明に係る音楽再生装置は、上記の発明において、前記楽曲リスト記憶手段に書き込まれた各メディアの楽曲リストに対して所定のトリックプレイをおこなう際に、再生対象となる楽曲の音楽情報が当該音楽再生装置の保持メディアに格納されていなければ、該再生対象となる楽曲の音楽情報が格納されたメディアを要する旨の通知をおこなうメディア要求通知手段をさらに備えたことを特徴とする。
【００１３】
また、請求項４の発明に係る音楽再生装置は、上記の発明において、前記音楽再生手段は、前記楽曲リスト記憶手段に書き込まれた各メディアの楽曲リストに対して所定のトリックプレイをおこなう際に、再生対象となる楽曲の音楽情報が当該音楽再生装置の保持メディアに格納されていなければ、該再生対象となる楽曲を無視して他の再生対象となる楽曲の音楽情報を再生することを特徴とする。
【００１４】
また、請求項５の発明に係る音楽再生装置は、上記の発明において、前記楽曲リストの中から再生対象となる楽曲を選択する条件として、楽曲の属性情報に関する条件を受け付ける再生対象選択条件受付手段をさらに備え、前記楽曲リスト書込手段は、前記メディアの楽曲リストとともに、該楽曲リストに係る属性情報を書き込み、前記音楽再生手段は、前記楽曲リスト記憶手段に書き込まれた各メディアの楽曲リストに係る属性情報をもとに、各メディアの楽曲リストの中から前記再生対象選択条件受付手段によって受け付けられた再生対象選択条件を満たす楽曲リストを抽出し、該抽出した楽曲リストに対して所定のトリックプレイをおこなって音楽を再生することを特徴とする。
【００１５】
また、請求項６の発明に係る音楽再生装置は、上記の発明において、前記音楽再生手段は、当該音楽再生装置が保持するメディアが交換された場合でも、前記再生対象選択条件を満たす楽曲リストを抽出する楽曲リスト抽出処理をおこなうことを特徴とする。
【００１６】
また、請求項７の発明に係る音楽再生装置は、上記の発明において、前記音楽再生手段は、当該音楽再生装置の保持メディアに格納された楽曲リストの中から前記再生対象選択条件受付手段によって受け付けられた再生対象選択条件を満たす楽曲リストを抽出し、該抽出した楽曲リストに対して所定のトリックプレイをおこなって音楽を再生することを特徴とする。
【発明の効果】
【００１７】
本発明によれば、当該音楽再生装置で新たなメディアが保持される度に、メディアの楽曲リストを楽曲リスト記憶手段に書き込み、楽曲リスト記憶手段に書き込まれた各メディアの楽曲リストに対して所定のトリックプレイをおこなって音楽を再生することとしたので、音楽提供に係るユーザビリティを向上させることが可能な音楽再生装置が得られるという効果を奏する。
【００１８】
また、本発明によれば、異種メディアの楽曲リストを楽曲リスト記憶手段に書き込み、楽曲リスト記憶手段に書き込まれた複数の異種メディアの楽曲リストに対して所定のトリックプレイをおこなって音楽を再生することとしたので、音楽提供に係るユーザビリティをより一層向上させることが可能な音楽再生装置が得られるという効果を奏する。
【００１９】
また、本発明によれば、楽曲リスト記憶手段に書き込まれた各メディアの楽曲リストに対して所定のトリックプレイをおこなう際に、再生対象となる楽曲の音楽情報が当該音楽再生装置の保持メディアに格納されていなければ、該再生対象となる楽曲の音楽情報が格納されたメディアを要する旨の通知をおこなうこととしたので、ユーザが所望する楽曲が保持メディアに記録されていなくとも、所望の楽曲が記録された所有メディアを通知することが可能な音楽再生装置が得られるという効果を奏する。
【００２０】
また、本発明によれば、楽曲リスト記憶手段に書き込まれた各メディアの楽曲リストに対して所定のトリックプレイをおこなう際に、再生対象となる楽曲の音楽情報が当該音楽再生装置の保持メディアに格納されていなければ、該再生対象となる楽曲を無視して他の再生対象となる楽曲の音楽情報を再生することとしたので、メディアの挿入または入れ替えなどの作業をおこなわせることなく、楽曲間を連続して音楽を再生することが可能な音楽再生装置が得られるという効果を奏する。
【００２１】
また、本発明によれば、楽曲リストの中から再生対象となる楽曲を選択する条件として、楽曲の属性情報に関する条件を受け付け、メディアの楽曲リストとともに、該楽曲リストに係る属性情報を書き込み、楽曲リスト記憶手段に書き込まれた各メディアの楽曲リストに係る属性情報をもとに、各メディアの楽曲リストの中から再生対象選択条件を満たす楽曲リストを抽出し、該抽出した楽曲リストに対して所定のトリックプレイをおこなって音楽を再生することとしたので、音楽提供のユーザビリティをより効果的に向上させることが可能な音楽再生装置が得られるという効果を奏する。
【００２２】
また、本発明によれば、当該音楽再生装置が保持するメディアが交換された場合でも、再生対象選択条件を満たす楽曲リストを抽出する楽曲リスト抽出処理をおこなうこととしたので、メディアが交換された場合でも、ユーザが所望する楽曲を定常的に再生することが可能な音楽再生装置が得られるという効果を奏する。
【００２３】
また、本発明によれば、当該音楽再生装置の保持メディアに格納された楽曲リストの中から再生対象選択条件を満たす楽曲リストを抽出し、該抽出した楽曲リストに対して所定のトリックプレイをおこなって音楽を再生することとしたので、再生対象となる楽曲の音楽情報が格納されていないという状況を回避でき、新たにメディアの挿入または入れ替えなどの作業をおこなわずとも、ユーザが所望する楽曲を再生することが可能な音楽再生装置が得られるという効果を奏する。
【発明を実施するための最良の形態】
【００２４】
以下に添付図面を参照して、本発明に係る音楽再生装置を車両に搭載した場合の好適な実施例を詳細に説明する。なお、以下では、本発明に係る車載オーディオ装置の概要および特徴を説明した後に、本実施例１に係る車載オーディオ装置を説明し、最後に、他の実施例として種々の変形例（実施例２）を説明することとする。
【００２５】
（概要および特徴）
まず最初に、本発明に係る車載オーディオ装置の概要及び特徴を説明する。図１は、本実施例１に係る車載オーディオ装置の構成を示すブロック図である。この車載オーディオ装置１０は、メディア（例えば、ＣＤ、ＭＤ、ＣＤ−Ｒなどの記録媒体）から音楽情報を読み出して音楽を再生するものである。
【００２６】
ここで、本発明に係る車載オーディオ装置１０は、当該車載オーディオ装置１０で新たなメディアが保持される度に、メディアの楽曲リストを楽曲リスト記憶テーブル１３ａに書き込む「楽曲リスト書込処理」、楽曲リスト記憶テーブル１３ａに書き込まれた各メディアの楽曲リストに対して所定のトリックプレイをおこなって音楽を再生する「音楽再生処理」に主たる特徴があり、かかる一連の処理によって、音楽提供に係るユーザビリティを向上させることができるようにしている。
【００２７】
これを具体的に説明すると、この車載オーディオ装置１０では、当該装置に新たなメディア（例えば、「Ａｌｂｕｍ」や「Ｓｉｎｇｌｅ」などの楽曲内容が格納された音楽メディア）が挿入される度に、メディアの楽曲リスト（すなわち、収録楽曲のＴＯＣ情報やトラック情報など）を楽曲リスト記憶テーブル１３ａに書き込む。
【００２８】
このように、メディアの楽曲リストを楽曲リスト記憶テーブル１３ａに動的に書き込んで蓄積してゆくこととしたのは、「楽曲リスト」の選定範囲を広げることで、かかる「楽曲リスト」にユーザが聴きたいと考えている楽曲がより多く含まれるようにするためである。また、ＣＤチェンジャ２０またはＭＤチェンジャ３０に挿入された異種メディア（例えば、「ＣＤ」や「ＭＤ」など）の楽曲リストを楽曲リスト記憶テーブル１３ａに書き込むことで、「楽曲リスト」の選定範囲をさらに広げることができるようにしている。
【００２９】
そして、この車載オーディオ装置１０では、楽曲リスト記憶テーブル１３ａに書き込まれた各メディア（例えば、「Ａｌｂｕｍ」や「Ｓｉｎｇｌｅ」などの楽曲内容が格納された「ＣＤ」や「ＭＤ」などの音楽メディア）の楽曲リストに対して所定のトリックプレイ（例えば、「Ｒｅｐｅａｔ」、「Ｒａｎｄｏｍ」または「Ｓｃａｎ」）をおこなって音楽を再生する。このように、各メディアの楽曲リストに対して所定のトリックプレイをおこなって音楽を再生することとしたのは、複数のメディアに跨る楽曲リストに対する再生形態を多様化するためである。
【００３０】
したがって、上記した従来技術の例で言えば、再生音楽を狭い選定対象の中から選定し、該選定した再生音楽のリスト（すなわち、「再生リスト」）を画一的に再生することで、ユーザの音楽の楽しみ方を制限するのではなく、メディアの楽曲リストを動的に書き込んで蓄積し、該蓄積された楽曲リストに対して所定のトリックプレイをおこなって音楽を再生することとしたので、「楽曲リスト」にユーザが聴きたいと考えている楽曲がより多く含まれるようし、さらに、複数のメディアに跨る楽曲リストに対する再生形態を多様化することができ、上記した主たる特徴のように、音楽提供に係るユーザビリティを向上させることが可能になる。
【実施例１】
【００３１】
次に、本実施例１に係る車載オーディオ装置について説明する。なお、ここでは、本実施例１に係る車載オーディオ装置の構成を説明した後に、この車載オーディオ装置の各種処理の手順を説明することとする。
【００３２】
（車載オーディオ装置の構成）
図１は、本実施例１に係る車載オーディオ装置の構成を示すブロック図である。同図に示すように、この車載オーディオ装置１０は、ＣＤチェンジャ２０、ＭＤチェンジャ３０、タッチパネル１１、スピーカ１２、記憶部１３および制御部１４を備える。
【００３３】
このうち、ＣＤチェンジャ２０は、「ＣＤ」の挿入口であるＣＤ挿入口２１と、ＣＤ挿入口２１から挿入された「ＣＤ」を格納するＣＤ格納部ＣＤ−１、ＣＤ−２・・・ＣＤ−ｎと、制御部１４からのメディア読出指示に基づいてＣＤ格納部に格納された「ＣＤ」から「音楽情報」や「楽曲リスト」を読み出すＣＤドライブ２２と、制御部１４からのメディア読出指示に該当するＣＤ格納部をＣＤドライブ２２に装着するＣＤチェンジャ制御部２３とを備える。
【００３４】
例えば、ＣＤ挿入口２１に「ＣＤ」が挿入され、該挿入された「ＣＤ」がＣＤ格納部ＣＤ−２に格納された場合、楽曲リスト書込制御部１４ａから楽曲リスト読出指示がおこなわれる。具体的には、ＣＤチェンジャ制御部２３は、ＣＤ格納部ＣＤ−２をＣＤドライブ２２に装着し、その後、ＣＤドライブ２２は、ＣＤ格納部ＣＤ−２に格納された「ＣＤ」の楽曲リストおよび該楽曲に係る属性情報を読み出して楽曲リスト書込制御部１４ａに送信する。なお、この時、かかる「ＣＤ」が格納されているＣＤ格納部の「Ｎｏ」も同時に送信されることとなる。
【００３５】
ＭＤチェンジャ３０は、「ＭＤ」の挿入口であるＭＤ挿入口３１と、ＭＤ挿入口３１から挿入された「ＭＤ」を格納するＭＤ格納部ＭＤ−１、ＭＤ−２・・・ＭＤ−ｎと、制御部１４からのメディア読出指示に基づいてＣＤ格納部に格納された「ＭＤ」から「音楽情報」や「楽曲リスト」を読み出すＭＤドライブ３２と、制御部１４からのメディア読出指示に該当するＭＤ格納部をＭＤドライブ３２に装着するＭＤチェンジャ制御部３３とを備える。
【００３６】
例えば、ＣＤチェンジャ２０と同様に、ＭＤ挿入口３１に「ＭＤ」が挿入され、該挿入された「ＭＤ」がＭＤ格納部ＭＤ−２に格納された場合、楽曲リスト書込制御部１４ａから楽曲リスト読出指示がおこなわれる。具体的には、ＭＤチェンジャ制御部３３は、ＭＤ格納部ＭＤ−２をＭＤドライブ３２に装着し、その後、ＭＤドライブ３２は、ＭＤ格納部ＭＤ−２に格納された「ＭＤ」の楽曲リストおよび該楽曲に係る属性情報を読み出して楽曲リスト書込制御部１４ａに送信する。なお、この時、かかる「ＭＤ」が格納されているＭＤ格納部の「Ｎｏ」も同時に送信されることとなる。
【００３７】
入力部１１ａは、ユーザからの入力操作を受け付けるインターフェースであり、例えば、再生対象選択条件の入力の受付（図４−１および図４−２参照）およびトリックプレイ条件の受付などをおこなう。
【００３８】
表示部１１ｂは、液晶パネルやディスプレイなどの表示デバイスであり、例えば、選択条件設定画面２１０および２２０（図４−１および図４−２参照）、トリックプレイ条件設定画面、並びにメディア挿入通知画面を表示する。なお、本実施例１では、入力部１１ａおよび表示部１１ｂの両者を併せてタッチパネル１１として構成することとする。
【００３９】
また、スピーカ１２は、音楽再生部１４ｃによって入力された音楽信号を増幅して音声出力するスピーカであり、ユーザ要求に応じた音響空間を提供可能なスピーカ数が配設される。
【００４０】
記憶部１３は、制御部１４による各種処理に必要なデータおよびプログラムを格納する格納手段（記憶手段）であり、楽曲リスト記憶テーブル１３ａを備える。この楽曲リスト記憶テーブル１３ａは、楽曲リスト書込処理部１４ａによって書き込まれた各メディアの楽曲リストおよび該楽曲リストに係る属性情報を蓄積して記憶するテーブルである。
【００４１】
具体的に説明すると、図２に示すように、各メディアの楽曲リスト（リストＮｏ）ごとに、ＴＯＣ情報「００：５４：２４」、アルバム名「Ａｌｂｕｍ  １」、当該メディアの収録曲の曲名「Ｔｒａｃｋ  １１」などの楽曲リストと、アーティスト名「Ａｒｔｉｓｔ  Ａ」、ジャンル「Ｊａｚｚ」などの楽曲リストに係る属性情報と、当該メディアが格納されているディスクＮｏ「ＣＤ−１」とを対応付けて記憶する。
【００４２】
制御部１４は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、楽曲リスト書込制御部１４ａ、再生楽曲リスト作成部１４ｂ、音楽再生部１４ｃおよびメディア挿入通知部１４ｄを備える。
【００４３】
このうち、楽曲リスト書込制御部１４ａは、当該車載オーディオ装置１０に新たなメディアが挿入される度に、メディアの楽曲リストを楽曲リスト記憶テーブル１３ａに書き込むように制御する処理部である。具体的には、ＣＤチェンジャ２０またはＭＤチェンジャ３０に挿入された異種メディア（例えば、「ＣＤ」や「ＭＤ」など）の楽曲リストを楽曲リスト記憶テーブル１３ａに書き込む。
【００４４】
より詳細には、楽曲リスト書込制御部１４ａは、ユーザによってＣＤ挿入口２１に「ＣＤ」が挿入され、該挿入された「ＣＤ」がＣＤ格納部ＣＤ−２に格納された場合に、ＣＤチェンジャ制御部２３に「楽曲リスト読出指示」を送信して、挿入された「ＣＤ」から楽曲リストおよび該楽曲リストに係る属性情報を読み出す。
【００４５】
そして、この「ＣＤ」の情報が楽曲リスト記憶テーブル１３ａに書き込まれていない場合には、挿入された「ＣＤ」に楽曲リスト「Ｎｏ」を採番して、ＴＯＣ情報、アルバム名、当該メディアの収録曲の曲名などの楽曲リストと、アーティスト名およびジャンル「Ｊａｚｚ」などの楽曲リストに係る属性情報と、挿入された「ＣＤ」のＣＤ格納部のＮｏ（すなわち、ディスクＮｏ）「ＣＤ−２」を楽曲リスト記憶テーブル１３ａに書き込む。
【００４６】
また、この「ＣＤ」の情報が楽曲リスト記憶テーブル１３ａに既に書き込まれている場合（すなわち、「Ａｌｂｕｍ  １」、「Ａｌｂｕｍ  ２」および「Ａｌｂｕｍ  ３」など、既に、楽曲リストが書込済みであるメディアが挿入された場合）には、挿入された「ＣＤ」のＣＤ格納部のＮｏ（すなわち、ディスクＮｏ）「ＣＤ−２」を当該「ＣＤ」の楽曲リスト「Ｎｏ」に書き込んで楽曲リスト記憶テーブル１３ａを更新する。
【００４７】
再生楽曲リスト作成部１４ｂは、楽曲リスト記憶テーブル１３ａに記憶された各メディアの楽曲リストに係る属性情報をもとに、各メディアの楽曲リストの中からタッチパネル１１によって受け付けられた再生対象選択条件を満たす楽曲リストを抽出して「再生楽曲リスト」を作成する処理部である。
【００４８】
これを具体的に説明すると、「楽曲リスト」に対するトリックプレイ指示を受け付けた場合に、タッチパネル１１は、図４−１および図４−２に示すように、選択条件設定画面２１０および２２０を表示して「再生対象選択条件」の入力を受け付ける。
【００４９】
そして、「再生対象選択条件」としてアルバムまたはシングルに関する条件を受け付けた場合（すなわち、選択条件設定画面２１０で「タイトル」の押下を受け付けた場合）に、再生楽曲リスト作成部１４ｂは、楽曲リスト記憶テーブル１３ａから指定アルバムまたは指定シングルのトラック情報を抽出して「再生楽曲リスト」を作成する。
【００５０】
また、「再生対象選択条件」としてアーティストに関する条件を受け付けた場合（すなわち、選択条件設定画面２１０で「アーティスト」の押下を受け付けた場合）に、再生楽曲リスト作成部１４ｂは、楽曲リスト記憶テーブル１３ａから指定アーティストのトラック情報を抽出して「再生楽曲リスト」を作成する。
【００５１】
また、「再生対象選択条件」としてジャンルに関する条件を受け付けた場合（すなわち、選択条件設定画面２１０で「ジャンル」の押下を受け付けた場合）に、再生楽曲リスト作成部１４ｂは、図５に示すように、選択条件設定画面２１０に連動して選択条件設定画面２２０で受け付けられた指定ジャンル（例えば、「Ｐｏｐｓ」）のトラック情報を楽曲リスト記憶テーブル１３ａから抽出して「再生楽曲リスト」を作成する。
【００５２】
また、「再生対象選択条件」としていずれの絞込み条件を受け付けなかった場合（すなわち、選択条件設定画面２１０で「オールプレイ」の押下を受け付けた場合）に、再生楽曲リスト作成部１４ｂは、楽曲リスト記憶テーブル１３ａに記憶された全楽曲リストを「再生楽曲リスト」として抽出する。
【００５３】
なお、指定アルバム（指定シングル）、指定アーティストまたは指定ジャンルなどの指定条件は、予め指定されたものであっても良いし、また、選択条件設定画面２１０の入力を受け付けた際に連動して選択条件設定画面２２０（図４−２参照）で受け付けるようにしても良い。
【００５４】
音楽再生部１４ｃは、再生楽曲リスト作成部１４ｂによって作成された「再生楽曲リスト」に対して所定のトリックプレイをおこなって音楽を再生する処理部である。具体的には、かかる「再生楽曲リスト」に対して、「Ｒｅｐｅａｔ」、「Ｒａｎｄｏｍ」または「Ｓｃａｎ」などのトリックプレイをおこなって音楽を再生する。
【００５５】
より詳細には、再生楽曲リスト作成部１４ｂによる「再生楽曲リスト」の作成が終了した場合に、タッチパネル１１は、トリックプレイ条件（例えば、「Ｒｅｐｅａｔ」、「Ｒａｎｄｏｍ」または「Ｓｃａｎ」など指定）の入力を受け付ける。
【００５６】
そして、トリックプレイ条件として「Ｒｅｐｅａｔ」を受け付けた場合には、音楽再生部１４ｃは、「再生楽曲リスト」に登録されたトラックについて繰り返し再生を順次実行する。例えば、図５に示す「再生楽曲リスト」を例にして言えば、「Ｔｒａｃｋ  ２１」〜「Ｔｒａｃｋ  ３３」を再帰的に順次再生する。
【００５７】
また、トリックプレイ条件として「Ｒａｎｄｏｍ」を受け付けた場合には、音楽再生部１４ｃは、「再生楽曲リスト」に登録されたトラックについてランダム再生を順次実行する。例えば、図５に示す「再生楽曲リスト」を例にして言えば、乱数列が記憶されたテーブルなどを用いて「Ｔｒａｃｋ  ２１」〜「Ｔｒａｃｋ  ３３」の中から再生対象となる楽曲を無作為に順次選定して再生する。
【００５８】
また、トリックプレイ条件として「Ｓｃａｎ」を受け付けた場合には、音楽再生部１４ｃは、「再生楽曲リスト」に登録されたトラックについて所定の時間ずつ順次再生を実行する。例えば、図５に示す「再生楽曲リスト」を例にして言えば、「Ｔｒａｃｋ  ２１」〜「Ｔｒａｃｋ  ３３」を１０秒ずつ順次再生する。
【００５９】
また、トリックプレイ条件を受け付けなかった場合には、音楽再生部１４ｃは、「再生楽曲リスト」に登録されたトラックについて通常再生を順次実行する。例えば、図５に示す「再生楽曲リスト」を例にして言えば、「Ｔｒａｃｋ  ２１」〜「Ｔｒａｃｋ  ３３」を順次再生する。
【００６０】
続いて、音楽再生部１４ｃは、これらの「トリックプレイ条件」に応じた再生動作を開始した際に、再生対象となる楽曲の音楽情報がＣＤチェンジャ２０またはＭＤチェンジャ３０に格納されていれば、「トリックプレイ条件」に応じた再生動作で再生対象となる楽曲の音楽情報を再生する。
【００６１】
一方、かかる「トリックプレイ条件」に応じた再生動作を開始した際に、再生対象となる楽曲の音楽情報がＣＤチェンジャ２０またはＭＤチェンジャ３０に格納されていなければ、メディア挿入通知部１４ｄは、再生対象となる楽曲の音楽情報が格納されたメディアの挿入を促す通知をおこなう。なお、この時、メディアの挿入を促す通知として、かかるメディアの「アルバム名」、「アーティスト名」および「ジャンル」などをタッチパネル１１に表示する。
【００６２】
その後、再生対象となる楽曲の音楽情報が格納されたメディアが挿入されたならば、「トリックプレイ条件」に応じた再生動作で再生対象となる楽曲の音楽情報を再生する。
【００６３】
また、再生対象となる楽曲の音楽情報が格納されたメディアが挿入されない場合には、再生対象となる楽曲をとばして次の再生対象となる楽曲を再生する「スキップ」の入力を受け付ける。
【００６４】
そして、「スキップ」の入力を受け付けた場合に、「トリックプレイ条件」が「Ｒｅｐｅａｔ」でなく、「再生楽曲リスト」に登録されたトラックすべてについて再生が終了したならば、音楽の再生を終了する。
【００６５】
このように、各メディアの楽曲リストに対して所定のトリックプレイをおこなう際に、再生対象となる楽曲の音楽情報が当該車載オーディオ装置の保持メディアに格納されていなければ、該再生対象となる楽曲の音楽情報が格納されたメディアを要する旨の通知をおこなうことで、ユーザが所望する楽曲が保持メディアに記録されていなくとも、所望の楽曲が記録された所有メディアを通知することができるようにしている。
【００６６】
また、各メディアの楽曲リストに対して所定のトリックプレイをおこなう際に、再生対象となる楽曲の音楽情報が当該車載オーディオ装置の保持メディアに格納されていなければ、該再生対象となる楽曲を無視して他の再生対象となる楽曲の音楽情報を再生することで、メディアの挿入または入れ替えなどの作業をおこなわせることなく、楽曲間を連続して音楽を再生することが可能になる。
【００６７】
（各種処理の手順）
次に、本実施例１に係る車載オーディオ装置による各種処理の手順について説明する。なお、ここでは、メディアの楽曲リストを楽曲リスト記憶テーブル１３ａに書き込む（１）楽曲リスト書込制御処理を説明した後に、「再生楽曲リスト」を作成する（２）再生楽曲リスト作成処理を説明し、最後に、この「再生楽曲リスト」に対して所定のトリックプレイをおこなって音楽を再生する（３）音楽再生処理を説明することとする。
【００６８】
（１）楽曲リスト書込制御処理
図３は、楽曲リスト書込制御処理の手順を示すフローチャートである。同図に示すように、楽曲リスト書込制御部１４ａは、ユーザによってＣＤ挿入口２１に「ＣＤ」が挿入され、該挿入された「ＣＤ」がＣＤ格納部ＣＤ−２に格納された場合（ステップＳ３０１肯定）に、ＣＤチェンジャ制御部２３に「楽曲リスト読出指示」を送信して、挿入された「ＣＤ」から楽曲リストおよび該楽曲リストに係る属性情報を読み出す（ステップＳ３０２）。
【００６９】
そして、この「ＣＤ」の情報が楽曲リスト記憶テーブル１３ａに書き込まれていない場合（ステップＳ３０３否定）には、挿入された「ＣＤ」に楽曲リスト「Ｎｏ」を採番して、ＴＯＣ情報、アルバム名、当該メディアの収録曲の曲名などの楽曲リストと、アーティスト名およびジャンル「Ｊａｚｚ」などの楽曲リストに係る属性情報と、挿入された「ＣＤ」のＣＤ格納部のＮｏ（すなわち、ディスクＮｏ）「ＣＤ−２」を楽曲リスト記憶テーブル１３ａに書き込む（ステップＳ３０４）。
【００７０】
また、この「ＣＤ」の情報が楽曲リスト記憶テーブル１３ａに既に書き込まれている場合（すなわち、「Ａｌｂｕｍ  １」、「Ａｌｂｕｍ  ２」および「Ａｌｂｕｍ  ３」など、既に、楽曲リストが書込済みであるメディアが挿入された場合）には（ステップＳ３０３肯定）、挿入された「ＣＤ」のＣＤ格納部のＮｏ（すなわち、ディスクＮｏ）「ＣＤ−２」を当該「ＣＤ」の楽曲リスト「Ｎｏ」に書き込んで楽曲リスト記憶テーブル１３ａを更新する（ステップＳ３０５）。
【００７１】
このように、車載オーディオ装置１０は、ＣＤチェンジャ２０またはＭＤチェンジャ３０に新たなメディアが挿入される度に、メディアの楽曲リストを楽曲リスト記憶テーブル１３ａに書き込むことで、同種メディアおよび異種メディアの楽曲リストを蓄積してゆく。
【００７２】
（２）再生楽曲リスト作成処理
図６は、再生楽曲リスト作成処理の手順を示すフローチャートである。この「再生楽曲リスト作成処理」は、「楽曲リスト」に対するトリックプレイ指示を受け付けた場合に、開始されることとなる。
【００７３】
同図に示すように、「楽曲リスト」に対するトリックプレイ指示を受け付けた場合（ステップＳ６０１）に、タッチパネル１１は、図４−１および図４−２に示すように、選択条件設定画面２１０および２２０を表示して「再生対象選択条件」の入力を受け付ける（ステップＳ６０２）。
【００７４】
そして、「再生対象選択条件」としてアルバムまたはシングルに関する条件を受け付けた場合（すなわち、選択条件設定画面２１０で「タイトル」の押下を受け付けた場合）には（ステップＳ６０３肯定）、再生楽曲リスト作成部１４ｂは、楽曲リスト記憶テーブル１３ａから指定アルバムまたは指定シングルのトラック情報を抽出して「再生楽曲リスト」を作成する（ステップＳ６０４）。
【００７５】
また、「再生対象選択条件」としてアーティストに関する条件を受け付けた場合（すなわち、選択条件設定画面２１０で「アーティスト」の押下を受け付けた場合）には（ステップＳ６０３否定かつステップＳ６０５肯定）、再生楽曲リスト作成部１４ｂは、楽曲リスト記憶テーブル１３ａから指定アーティストのトラック情報を抽出して「再生楽曲リスト」を作成する（ステップＳ６０６）。
【００７６】
また、「再生対象選択条件」としてジャンルに関する条件を受け付けた場合（すなわち、選択条件設定画面２１０で「ジャンル」の押下を受け付けた場合）には（ステップＳ６０３否定、ステップＳ６０５否定かつステップＳ６０７肯定）、再生楽曲リスト作成部１４ｂは、図５に示すように、選択条件設定画面２１０に連動して選択条件設定画面２２０で受け付けられた指定ジャンル（例えば、「Ｐｏｐｓ」）のトラック情報を楽曲リスト記憶テーブル１３ａから抽出して「再生楽曲リスト」を作成する（ステップＳ６０８）。
【００７７】
また、「再生対象選択条件」としていずれの絞込み条件を受け付けなかった場合（すなわち、選択条件設定画面２１０で「オールプレイ」の押下を受け付けた場合）には（ステップＳ６０３否定、ステップＳ６０５否定かつステップＳ６０７否定）、再生楽曲リスト作成部１４ｂは、楽曲リスト記憶テーブル１３ａに記憶された全楽曲リストを「再生楽曲リスト」として抽出する（ステップＳ６０９）。
【００７８】
このように、車載オーディオ装置１０は、各メディアの楽曲リストの中からタッチパネル１１によって受け付けられた再生対象選択条件を満たす楽曲リストを抽出して「再生楽曲リスト」を作成する。
【００７９】
（３）音楽再生処理
図７は、音楽再生処理の手順を示すフローチャートである。この「音楽再生処理」は、再生楽曲リスト作成部１４ｂによる「再生楽曲リスト」の作成が終了した場合に、開始されることとなる。再生楽曲リスト作成部１４ｂによる「再生楽曲リスト」の作成が終了した場合に、タッチパネル１１は、トリックプレイ条件（例えば、「Ｒｅｐｅａｔ」、「Ｒａｎｄｏｍ」または「Ｓｃａｎ」など指定）の入力を受け付ける。
【００８０】
同図に示すように、再生楽曲リスト作成部１４ｂによる「再生楽曲リスト」の作成が終了した場合（ステップＳ７０１肯定）に、タッチパネル１１は、トリックプレイ条件（例えば、「Ｒｅｐｅａｔ」、「Ｒａｎｄｏｍ」または「Ｓｃａｎ」など指定）の入力を受け付ける（ステップＳ７０２）。
【００８１】
そして、トリックプレイ条件として「Ｒｅｐｅａｔ」を受け付けた場合（ステップＳ７０３肯定）には、音楽再生部１４ｃは、「再生楽曲リスト」に登録されたトラックについて繰り返し再生を順次実行する（ステップＳ７０４）。例えば、図５に示す「再生楽曲リスト」を例にして言えば、「Ｔｒａｃｋ  ２１」〜「Ｔｒａｃｋ  ３３」を再帰的に順次再生する。
【００８２】
また、トリックプレイ条件として「Ｒａｎｄｏｍ」を受け付けた場合（ステップＳ７０３否定かつステップＳ７０５肯定）には、音楽再生部１４ｃは、「再生楽曲リスト」に登録されたトラックについてランダム再生を順次実行する（ステップＳ７０６）。例えば、図５に示す「再生楽曲リスト」を例にして言えば、乱数列が記憶されたテーブルなどを用いて「Ｔｒａｃｋ  ２１」〜「Ｔｒａｃｋ  ３３」の中から再生対象となる楽曲を無作為に順次選定して再生する。
【００８３】
また、トリックプレイ条件として「Ｓｃａｎ」を受け付けた場合（ステップＳ７０３否定、ステップＳ７０５否定かつステップＳ７０７肯定）には、音楽再生部１４ｃは、「再生楽曲リスト」に登録されたトラックについて所定の時間ずつ順次再生を実行する（ステップＳ７０８）。例えば、図５に示す「再生楽曲リスト」を例にして言えば、「Ｔｒａｃｋ  ２１」〜「Ｔｒａｃｋ  ３３」を１０秒ずつ順次再生する。
【００８４】
また、トリックプレイ条件を受け付けなかった場合（ステップＳ７０３否定、ステップＳ７０５否定かつステップＳ７０７否定）には、音楽再生部１４ｃは、「再生楽曲リスト」に登録されたトラックについて通常再生を順次実行する（ステップＳ７０９）。例えば、図５に示す「再生楽曲リスト」を例にして言えば、「Ｔｒａｃｋ  ２１」〜「Ｔｒａｃｋ  ３３」を順次再生する。
【００８５】
続いて、音楽再生部１４ｃは、これらの「トリックプレイ条件」に応じた再生動作を開始した際に、再生対象となる楽曲の音楽情報がＣＤチェンジャ２０またはＭＤチェンジャ３０に格納されていれば（ステップＳ７１０肯定）、「トリックプレイ条件」に応じた再生動作で再生対象となる楽曲の音楽情報を再生する（ステップＳ７１１）。
【００８６】
一方、かかる「トリックプレイ条件」に応じた再生動作を開始した際に、再生対象となる楽曲の音楽情報がＣＤチェンジャ２０またはＭＤチェンジャ３０に格納されていなければ（ステップＳ７１０否定）、メディア挿入通知部１４ｄは、再生対象となる楽曲の音楽情報が格納されたメディアの挿入を促す通知をおこなう（ステップＳ７１２）。
【００８７】
その後、再生対象となる楽曲の音楽情報が格納されたメディアが挿入されたならば（ステップＳ７１３肯定）、「トリックプレイ条件」に応じた再生動作で再生対象となる楽曲の音楽情報を再生する（ステップＳ７１１）。
【００８８】
また、再生対象となる楽曲の音楽情報が格納されたメディアが挿入されない場合（ステップＳ７１３否定）には、再生対象となる楽曲をとばして次の再生対象となる楽曲を再生する「スキップ」の入力を受け付ける（ステップＳ７１４）。
【００８９】
そして、この「スキップ」の入力を受け付けた場合（ステップＳ７１４肯定）或いは再生対象となる楽曲の再生（ステップＳ７１１）終了後、「トリックプレイ条件」が「Ｒｅｐｅａｔ」であれば（ステップＳ７１５肯定）、ステップＳ７０４〜Ｓ７１４までの処理を回帰的におこなう。
【００９０】
また、この「スキップ」の入力を受け付けた場合（ステップＳ７１４肯定）或いは再生対象となる楽曲の再生（ステップＳ７１１）終了後、「トリックプレイ条件」が「Ｒｅｐｅａｔ」でなく（ステップＳ７１５否定）、「再生楽曲リスト」に登録されたトラックすべてについて再生が終了していなければ（ステップＳ７１６否定）、ステップＳ７０３〜Ｓ７１４までの処理を再度おこなう。
【００９１】
最後に、この「スキップ」の入力を受け付けた場合（ステップＳ７１４肯定）或いは再生対象となる楽曲の再生（ステップＳ７１１）終了後、「トリックプレイ条件」が「Ｒｅｐｅａｔ」でなく（ステップＳ７１５否定）、「再生楽曲リスト」に登録されたトラックすべてについて再生が終了したならば（ステップＳ７１６肯定）、音楽の再生を終了する。
【００９２】
上述してきたように、本実施例１に係る車載オーディオ装置によれば、「楽曲リスト」にユーザが所望する楽曲がより多く含まれるようし、さらに、この「楽曲リスト」からユーザが所望する「再生楽曲リスト」を抽出し、そして、この同種メディアおよび異種メディアに跨る「再生楽曲リスト」に対する再生形態を多様化することでき、音楽提供のユーザビリティをより効果的に向上させることが可能になる。
【実施例２】
【００９３】
さて、これまで本発明の実施例について説明したが、本発明は上述した実施例１以外にも、上記特許請求の範囲に記載した技術的思想の範囲内において種々の異なる実施例にて実施されてもよいものである。
【００９４】
例えば、実施例１では、「ＣＤ」および「ＭＤ」を再生可能な車載オーディオ装置１０に本発明を適用する場合の実施例について説明したが、本発明はこれに限定されるものではなく、「ＭＰ３」、「ＷＭＡ」などのメディアをさらに再生可能な場合、また、再生可能なメディアがこれらのメディア「ＣＤ」、「ＭＤ」、「ＭＰ３」、「ＷＭＡ」をどのように組み合わせたものであっても同様に適用することができる。
【００９５】
また、本発明では、当該車載オーディオ装置１０が保持するメディアが交換された場合でも、再生対象選択条件を満たす楽曲リストを抽出する楽曲リスト抽出処理をおこなうようにしても良い。例えば、ジャンルが「Ｐｏｐｓ」である楽曲を再生対象として選択する再生対象選択条件を受け付けた場合、メディアの挿入または取出がおこなわれたとしても、その際に、「再生楽曲リスト」の作成処理を随時おこなって「再生楽曲リスト」を更新する。すなわち、これによって、メディアが交換された場合でも、ユーザが所望する楽曲を定常的に再生することが可能になる。
【００９６】
また、本発明では、当該車載オーディオ装置１０の保持メディアに格納された楽曲リストの中から再生対象選択条件を満たす楽曲リストを抽出し、該抽出した楽曲リストに対して所定のトリックプレイをおこなって音楽を再生するようにしても良い。すなわち、これによって、保持メディアに収録されている楽曲のみを再生することができ、再生対象となる楽曲の音楽情報が格納されていないという状況を回避でき、新たにメディアの挿入または入れ替えなどの作業をおこなわずとも、ユーザが所望する楽曲を再生することが可能になる。
【００９７】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００９８】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【図面の簡単な説明】
【００９９】
【図１】本実施例１に係る車載オーディオ装置の構成を示すブロック図である。
【図２】楽曲リスト記憶テーブルに記憶される情報の構成例を示す図である。
【図３】楽曲リスト書込制御処理の手順を示すフローチャートである。
【図４−１】選択条件設定画面の一例を示す図である。
【図４−２】選択条件設定画面の一例を示す図である。
【図５】再生楽曲リストの一例を示すである。
【図６】再生楽曲リスト作成処理の手順を示すフローチャートである。
【図７】音楽再生処理の手順を示すフローチャートである。
【符号の説明】
【０１００】
１０    車載オーディオ装置
１１    タッチパネル
１１ａ  入力部
１１ｂ  表示部
１２    スピーカ
１３    記憶部
１３ａ  楽曲リスト記憶テーブル
１４    制御部
１４ａ  楽曲リスト書込制御部
１４ｂ  再生楽曲リスト作成部
１４ｃ  音楽再生部
１４ｄ  メディア挿入通知部
２０    ＣＤチェンジャ
３０    ＭＤチェンジャ
【図１】
2006107678.tif 000003
【図２】
2006107678.tif 000004
【図３】
2006107678.tif 000005
【図４−１】
2006107678.tif 000006
【図４−２】
2006107678.tif 000007
【図５】
2006107678.tif 000008
【図６】
2006107678.tif 000009
【図７】
2006107678.tif 000010